(57)【要約】  該設備は、波発生器（１２）；縁部ゾーン（１５）、最高潮ゾーン（１７）、縁部ゾーンと最高潮ゾーンとの間で上り勾配を有する発達ゾーン（１６）、該最高潮ゾーンとの関係において陥凹している陥凹ゾーン（３１）と最高潮ゾーンとの間の頂部（３０）を含む支持体（１１）；それぞれ縁部ゾーンより高いおよび低い水平方向に隣接する表層領域（２５）および深層領域（２６）と、縁部ゾーンおよび発達ゾーンの上方にあり表層領域と垂直方向に隣接する内部ゾーン（２４）とを含む水生環境（２３）の一部を成す、縁部ゾーンと発達ゾーン上に位置する水；を含み、該設備は、発生器が使用中であるとき、波の行程の終りにある水が頂部を乗り越え、陥凹ゾーンにより画定される収容体積内に落下するように構成されており、支持体の下の流体連通（２７）が、前記深層領域を、前記収容体積に通じる開口部（３３、３９）に結び付けている。【選択図】図５
2018530361.tif 000002
【特許請求の範囲】
【請求項１】
サーフィン練習用の人工波設備において、
−  縁部ゾーン（１５）、波発達ゾーン（１６）および最高潮ゾーン（１７）を含む上部表面（１４）を有する支持体（１１；５５）であって、前記波発達ゾーン（１６）が前記縁部ゾーン（１５）から前記最高潮ゾーン（１７）まで上り勾配で延在している、支持体（１１；５５）と；
−  前記縁部ゾーン（１５）および前記波発達ゾーン（１６）上に位置する水と；
−  既定の経路（２１）に沿って前記縁部ゾーン（１５）上で可動である少なくとも１つの水駆動部材（２０）を含む人工波発生器（１２）であって、前記波発生器（１２）および前記支持体（１１；５５）の前記上部表面（１４）は、前記波発生器（１２）が休止中であるとき前記最高潮ゾーン（１７）を表出させ、前記波発生器（１２）が使用中であるとき、前記波発達ゾーン（１６）に向かって水の中を移動する波（２２）が側方向で可動部材（２０）に後続し、該波発達ゾーンと接触した時点で生成された波（２２）は前記最高潮ゾーン（１７）に向って砕けるように構成されている、人工波発生器（１２）と；
を含む人工波設備であって、
−  前記縁部ゾーン（１５）および前記波発達ゾーン（１６）上に位置する前記水は、水生環境（２３）の一部を成し、該水生環境は、前記縁部ゾーン（１５）に沿って前記支持体（１１；５５）の外側に、前記縁部ゾーン（１５）より高いところに位置する、以下表層外側水生領域と呼ぶ領域（２５）、および前記縁部ゾーン（１５）よりも低いところに位置する、以下深層外側水生領域と呼ぶ領域（２６）を含み、前記表層外側水生領域（２５）と前記深層外側水生領域（２６）とは水平方向に隣接していること；
−  前記表層外側水生領域（２５）と、前記縁部ゾーン（１５）および前記波発達ゾーンの上方に位置する、以下内側水生領域と呼ぶ前記水生環境（２３）の領域（２４）とは、垂直方向に隣接していること；
−  前記支持体（１１；５５）の前記上部表面（１４）は、頂部（３０）および該頂部（３０）との関係において陥凹している陥凹ゾーン（３１）をさらに含み、前記頂部（３０）は前記最高潮ゾーン（１７）と前記陥凹ゾーン（３１）との間に位置設定されており、前記最高潮ゾーン（１７）および前記陥凹ゾーン（３１）は、前記波発生器（１２）が使用中であるとき波（２２）の行程の終りにある水が頂部（３０）を乗り越え、陥凹ゾーン（３１）により画定される、以下前記支持体の収容体積と呼ぶ体積（３２）内に落下するように構成されていること、および
−  前記支持体（１１；５５）の前記上部表面（１４）の下に位置する流体連通（２７；５７）は、前記深層外側水生領域（２６）を、前記支持体の前記収容体積（３２）に通じる開口部（３３、３９；５８）に連結していること；
を特徴とする人工波設備。
【請求項２】
前記支持体がプラットフォーム（１１）であり、前記水生環境（２３）が、前記プラットフォーム（１１）の下に、以下下接水生領域と呼ぶ領域（２７）を含み、前記深層外側水生領域（２６）と前記下接水生領域（２７）が垂直方向に隣接しており、前記支持体の収容体積（３２）に通じる前記開口部（３３、３９）は前記下接水生領域（２７）に通じており、前記支持体（１１）の前記上部表面（１４）の下に位置する前記流体連通が、前記下接水生領域（２７）によって実施されていることを特徴とする、請求項１に記載の設備。
【請求項３】
サーフィン練習用の人工波設備において、
−  縁部ゾーン（１５）、波発達ゾーン（１６）および最高潮ゾーン（１７）を含む上部表面（１４）を有する支持体（１１；５５）であって、前記波発達ゾーン（１６）が前記縁部ゾーン（１５）から前記最高潮ゾーン（１７）まで上り勾配で延在している、支持体（１１；５５）と；
−  前記縁部ゾーン（１５）および前記波発達ゾーン（１６）上に位置する水と；
−  既定の経路（２１）に沿って前記縁部ゾーン（１５）上で可動である少なくとも１つの水駆動部材（２０）を含む人工波発生器（１２）であって、前記波発生器（１２）および前記支持体（１１；５５）の前記上部表面（１４）は、前記波発生器（１２）が休止中であるとき前記最高潮ゾーン（１７）を表出させ、前記波発生器（１２）が使用中であるとき、前記波発達ゾーン（１６）に向かって水の中を移動する波（２２）が側方向で可動部材（２０）に後続し、該波発達ゾーンと接触した時点で生成された波（２２）は前記最高潮ゾーン（１７）に向かって砕けるように構成されている、人工波発生器（１２）と；
を含む人工波設備であって、
−  前記縁部ゾーン（１５）および前記波発達ゾーン（１６）上に位置する前記水は、水生環境（２３）の一部を成し、該水生環境は、前記縁部ゾーン（１５）に沿って前記支持体（１１；５５）の外側に、前記縁部ゾーン（１５）より高いところに位置する、以下表層外側水生領域と呼ぶ領域（２５）、および前記縁部ゾーン（１５）よりも低いところに位置する、以下深層外側水生領域と呼ぶ領域（２６）を含み、前記表層外側水生領域と前記深層外側水生領域とは水平方向に隣接していること；
−  前記表層外側水生領域（２５）と、前記縁部ゾーン（１５）および前記波発達ゾーンの上方に位置する、以下内側水生領域と呼ぶ前記水生環境（２３）の領域（２４）とは、垂直方向に隣接していること；
−  前記支持体がプラットフォーム（１１）であること；および
−  前記水生環境（２３）が、前記プラットフォーム（１１）の下に、以下下接水生領域と呼ぶ領域（２７）を含み、前記深層外側水生領域（２６）と前記下接水生領域（２７）とが垂直方向に隣接していること、
を特徴とする人工波設備。
【請求項４】
前記プラットフォーム（１１）が浮動式プラットフォームであること、を特徴とする請求項２または３のいずれか１項に記載の設備。
【請求項５】
前記プラットフォーム（１１）が開口部（３９）を含み、該開口部内に、前記下接水生領域（２７）の底面（３５）上に締結された杭（３８）が配置されており、前記プラットフォーム（１１）と前記杭（３８）は、前記水生環境（２３）の水位に変化が生じた場合に、前記杭（３８）との関係において前記プラットフォーム（１１）が滑動するように構成されていること、を特徴とする請求項４に記載の設備。
【請求項６】
前記支持体は、前記支持体の前記上部表面（１４）の下に位置する前記流体連通を実施するために少なくとも１本のパイプ（５７）を内部に備える基体（５５）であること、を特徴とする請求項１に記載の設備。
【請求項７】
前記可動部材（２０）の前記経路（２１）が環状であり、前記縁部ゾーン（１５）が前記支持体（１１；５５）の周囲に位置しており、前記最高潮ゾーン（１７）が前記支持体（１１；５５）の中心に向かって位置していること、を特徴とする、請求項１ないし６のいずれか１項に記載の設備。
【請求項８】
前記支持体（１１）に連結された防波堤（４０）をさらに含み、前記防波堤（４０）は、前記最高潮ゾーン（１７）から前記縁部ゾーン（１５）に向かって前記内側水生領域（２４）を横断して延在しながら、前記波発達ゾーン（１６）から上向きに突出している、請求項７に記載の設備。
【請求項９】
サーフィン練習用の人工波設備において、
−  縁部ゾーン（１５）、波発達ゾーン（１６）および最高潮ゾーン（１７）を含む上部表面（１４）を有する支持体（１１；５５）であって、前記波発達ゾーン（１６）が前記縁部ゾーン（１５）から前記最高潮ゾーン（１７）まで上り勾配で延在している、支持体（１１；５５）と；
−  前記縁部ゾーン（１５）および前記波発達ゾーン（１６）上に位置する水と；
−  既定の経路（２１）に沿って前記縁部ゾーン（１５）上で可動である少なくとも１つの水駆動部材（２０）を含む人工波発生器（１２）であって、前記波発生器（１２）および前記支持体（１１；５５）の前記上部表面（１４）は、前記波発生器（１２）が休止中であるとき前記最高潮ゾーン（１７）を表出させ、前記波発生器（１２）が使用中であるとき、前記波発達ゾーン（１６）に向かって水の中を移動する波（２２）が側方向で可動部材（２０）に後続し、該波発達ゾーンと接触した時点で生成された波（２２）は前記最高潮ゾーン（１７）に向かって砕けるように構成されており、
前記可動部材（２０）の前記経路（２１）が環状であり、前記縁部ゾーン（１５）が前記支持体（１１；５５）の周囲に位置しており、前記最高潮ゾーン（１７）が前記支持体（１１；５５）の中心に向かって位置している、人工波発生器（１２）と、
を含む人工波設備であって、
前記支持体（１１）に連結された防波堤（４０）をさらに含み、前記防波堤（４０）は、前記最高潮ゾーン（１７）から前記縁部ゾーン（１５）に向かって前記縁部ゾーン（１５）および前記波発達ゾーン（１６）上に位置する領域（２４）を横断して延在しながら、前記波発達ゾーン（１６）から上向きに突出している、ことを特徴とする人工波設備。
【請求項１０】
前記防波堤（４０）が、第１の側方ゾーン（４２）、該第１の側方ゾーン（４２）と反対側に位置する第２の側方ゾーン（４３）、および前記第１の側方ゾーン（４２）から前記第２の側方ゾーン（４３）まで延在する中間ゾーン（４４）を含む上部表面（４１）を有し、前記中間ゾーン（４４）は、前記波発生器（１２）が休止中であるときに表出する少なくとも１つの頂部（４５、４６）を含むこと、を特徴とする請求項８または９のいずれか１項に記載の設備。
【請求項１１】
前記中間ゾーン（４４）は、前記波発生器（１２）が休止中であるときに各々表出する第１の頂部（４５）と第２の頂部（４６）とを含み、前記第１の頂部（４５）および前記第２の頂部との関係において陥凹している陥凹ゾーン（４７）を含み、前記第１の頂部（４５）は前記第１の側方ゾーン（４２）と前記陥凹ゾーン（４７）との間に位置設定され、前記第２の頂部（４６）は前記第２の側方ゾーン（４３）と前記陥凹ゾーン（４７）との間に位置設定されており、前記第１の頂部（４５）、前記第２の頂部（４６）および前記陥凹ゾーン（４７）は、前記波発生器（１２）が使用中であるとき、前記波（２２）の行程の終りにある水が前記第１の頂部（４５）または前記第２の頂部（４６）を乗り越え、前記陥凹ゾーン（４７）により画定される、以下前記防波堤の収容体積と呼ぶ体積（４８）内に落下するように構成されていること；
−  前記縁部ゾーン（１５）および前記波発達ゾーン（１６）上に位置する前記水は、水生環境（２３）の一部を成し、該水生環境は、前記縁部ゾーン（１５）に沿って前記支持体（１１；５５）の外側に、前記縁部ゾーン（１５）より高いところに位置する、以下表層外側水生領域と呼ぶ領域（２５）、および前記縁部ゾーン（１５）よりも低いところに位置する、以下深層外側水生領域と呼ぶ領域（２６）を含み、前記表層外側水生領域と前記深層外側水生領域は水平方向に隣接していること；
−  流体連通（２４、４９）が、前記防波堤（４８）の前記収容体積を前記表層外側水生領域（２５）および／または前記深層外側水生領域（２６）に結び付けていること、
を特徴とする請求項１０に記載の設備。
【請求項１２】
前記支持体（１１；５５）の前記上部表面（１４）は、頂部（３０）および該頂部（３０）との関係において陥凹している陥凹ゾーン（３１）をさらに含み、前記頂部（３０）は前記最高潮ゾーン（１７）と前記陥凹ゾーン（３１）との間に位置設定されており、前記最高潮ゾーン（１７）および前記陥凹ゾーン（３１）は、前記波発生器（１２）が使用中であるとき、前記波（２２）の行程の終りにある水が前記頂部（３０）を乗り越え、前記陥凹ゾーン（３１）により画定される、以下前記支持体の収容体積と呼ぶ体積（３２）内に落下するように構成されており；
前記支持体の前記収容体積（３２）および前記防波堤の前記収容体積（４８）が垂直方向に合流すること、
を特徴とする請求項１１に記載の設備。
【発明の詳細な説明】
【技術分野】
【０００１】
本発明は、サーフィン練習用の動的人工波設備に関する。
【背景技術】
【０００２】
動的人工波は伝搬する自然波を再現するものであり、勾配付き壁上に投射される例えばおよそ１０ｃｍの均一な厚みの水層によって形成される静的人工波と混同されてはならない、ということは公知である。
【０００３】
本明細書では、人工波に対する言及が、静的人工波ではなく動的人工波に向けられるものと理解されるように意図されている。
【０００４】
特許文献１（米国特許第３，９１３，３３２号明細書）から、図８および９に例示されている実施形態において、以下のものを含むサーフィン練習用の人工波設備がすでに知られている：
−  円形の全体的形状を有するアイランドまたは隆起したゾーン、水平な底面ゾーンおよび底面ゾーンと隆起ゾーンの間に延在する勾配付きゾーンを含む上部表面を有する基体であって、同様に湖の外周も画定している基体；
−  水平底面ゾーンおよび勾配付きゾーンの上方で湖の外周内部に位置する水であって、勾配付きゾーンのうち隆起ゾーンに最も近いゾーンを表出させている、水；
−  湖の外周に沿って位置する既定の円形経路内を水平底面ゾーン上で各々可動である３つの水駆動部材を含む人工波発生器であって、波発生器および基体の上部表面は、波発生器が使用中であるとき、可動部材が角度的に等距離にあり続け、このとき、勾配付きゾーンに向かって水の中を移動する波が側方向で各可動部材に後続し、この勾配付きゾーンと接触した時点で波が勾配付き部分の頂部に向かって砕ける、人工波発生器。
【先行技術文献】
【特許文献】
【０００５】
【特許文献１】米国特許第３，９１３，３３２号明細書
【発明の概要】
【０００６】
第１の態様によると、本発明は、使い勝手および設備寿命の観点から見て優れた性能を有する類似の設備を提供することに向けられている。
【０００７】
この目的で本発明は、サーフィン練習用の人工波設備において：
−  縁部ゾーン、波発達ゾーンおよび最高潮ゾーンを含む上部表面を有する支持体であって、波発達ゾーンが縁部ゾーンから最高潮ゾーンまで上り勾配で延在している、支持体と；
−  前記縁部ゾーンおよび前記波発達ゾーン上に位置する水と；
−  既定の経路に沿って縁部ゾーン上で可動である少なくとも１つの水駆動部材を含む人工波発生器であって、前記波発生器および支持体の前記上部表面は、波発生器が休止中であるとき最高潮ゾーンを表出させ、波発生器が使用中であるとき、波発達ゾーンに向かって水の中を移動する波が側方向で可動部材に後続し、この波発達ゾーンと接触した時点で生成された波は最高潮ゾーンに向かって砕けるように構成されている、人工波発生器と；
を含む人工波設備であって、
−  縁部ゾーンおよび波発達ゾーン上に位置する水は、水生環境の一部を成し、この水生環境は、縁部ゾーンに沿って支持体の外側に、縁部ゾーンより高いところに位置し以下表層外側水生領域と呼ぶ領域、および縁部ゾーンよりも低いところに位置し以下深層外側水生領域と呼ぶ領域を含み、表層外側水生領域と深層外側水生領域は水平方向に隣接していること；
−  表層外側水生領域と、前記縁部ゾーンおよび前記波発達ゾーンの上方に位置して以下内側水生領域と呼ぶ水生環境の領域とは、垂直方向に隣接していること；
−  支持体の上部表面は、頂部およびこの頂部との関係において陥凹している陥凹ゾーンをさらに含み、この頂部は最高潮ゾーンと陥凹ゾーンとの間に位置設定されており、最高潮ゾーンおよび陥凹ゾーンは、波発生器が使用中であるとき波の行程の終りにある水が頂部を乗り越え、以下支持体の収容体積と呼ぶ、陥凹ゾーンにより画定される体積内に落下するように構成されていること、および
−  支持体の上部表面の下に位置する流体連通は、前記深層外側水生領域を、支持体の前記収容体積に通じる開口部に連結していること；
を特徴とする人工波設備を提供する。
【０００８】
こうして、少なくとも大部分について、波の行程の終りにある水は支持体の収容体積内に落下することによって内側水生領域を離れ、支持体の上部表面の下に流体連通が位置設定されているために水は支持体のこの収容体積から内側水生領域を通過することなく排出されることから、内側水生領域内への引き波が回避される。
【０００９】
支持体の収容体積と連通しているのは深層外側水生領域であるため、表層外側水生領域も全く攪乱を受けないかまたは極くわずかしか受けない。
【００１０】
したがって、内側水生領域さらには表層外側水生領域は引き波による攪乱を受けず、または少なくとも非常にわずかしか攪乱を受けないことから、２つの連続する波の間の時間を大幅に短縮することが可能である。
【００１１】
本発明に係る設備は、こうして、使い勝手に優れている。
【００１２】
その上、水は収容体積へと誘導され、単に流体連通が存在するだけで、水は自然にこの収容体積から深層外側水生領域に合流して行くことから、波が支持体に及ぼす力学的作用は比較的わずかである。
【００１３】
こうして、本発明に係る設備は、寿命の観点から見て優れた性能を有する。
【００１４】
特許文献１の図８および９に例示されている実施形態の設備の場合と同様、本発明に係る設備において、波は波発生器の片側でのみ砕ける。
【００１５】
実際、本発明に係る設備において、波は、支持体と同じ側でのみ砕ける。もう一方の側で砕ける波は無く、この側は、水平方向に隣接する深層外側水生領域と表層外側水生領域によってのみ占有される。
【００１６】
さらに、水生環境の異なる水生領域への細分割が支持体との関係における該当領域の場所にのみ基づいている、すなわち水生領域は、分離された水の体積ではなく水が存在する場所を意味するものであるということを明確に理解しなければならないことが指摘される。
【００１７】
詳細には、異なる水生領域を互いに分離する液密性の壁は全く存在しない。反対に、水生環境の水は異なる水生領域間を流動する。こうして、波発生器が休止中であるとき、全水生環境は同じ水位を有する。例えば、波発生器が休止中であるとき、内側水生領域の水位は、表層外側水生領域の水位と同一である。
【００１８】
有利な特徴によると、前記支持体はプラットフォームであり、前記水生環境は、以下下接水生領域と呼ぶ領域をプラットフォームの下に含み、深層外側水生領域と下接水生領域は垂直方向に隣接しており、支持体の収容体積に通じる前記開口部は下接水生領域に通じており、支持体の上部表面の下に位置する前記流体連通は、下接水生領域によって実施されている。
【００１９】
こうして、波発生器が使用中であるとき水が運動しているのはプラットフォーム上であり、特許文献１に記載されている設備においてそうであるように水生環境の底面上ではない。
【００２０】
こうして、水生環境の底面に概して存在する堆積物、沖積層などを懸濁させることは回避される。
【００２１】
より一般的には、プラットフォームの収容体積を恒常のレベルに維持するための水の流れしか存在せず、これは連通管の原理にしたがって自然に起こることから、設備が下接水生領域に対して発生させる攪乱（disturbance）は、最小限である。
【００２２】
第２の態様によると、本発明は、水生環境に対してひき起こされる攪乱を最小限に抑える設備に向けられている。
【００２３】
サーフィン練習用の人工波設備において：
−  縁部ゾーン、波発達ゾーンおよび最高潮ゾーンを含む上部表面を有する支持体であって、波発達ゾーンが縁部ゾーンから最高潮ゾーンまで上り勾配で延在している、支持体と；
−  前記縁部ゾーンおよび前記波発達ゾーン上に位置する水と；
−  既定の経路に沿って縁部ゾーン上で可動である少なくとも１つの水駆動部材を含む人工波発生器であって、前記波発生器および支持体の前記上部表面は、波発生器が休止中であるとき最高潮ゾーンを表出させ、波発生器が使用中であるとき、波発達ゾーンに向かって水の中を移動する波が側方向で可動部材に後続し、この波発達ゾーンと接触した時点で生成される波は最高潮ゾーンに向かって砕けるように構成されている、人工波発生器と；
を含む人工波設備であって、
−  縁部ゾーンおよび波発達ゾーン上に位置する水は、水生環境の一部を成し、この水生環境は、縁部ゾーンに沿って支持体の外側に、縁部ゾーンより高いところに位置し以下表層外側水生領域と呼ぶ領域、および縁部ゾーンよりも低いところに位置し以下深層外側水生領域と呼ぶ領域を含み、表層外側水生領域と深層外側水生領域は水平方向に隣接していること；
−  表層外側水生領域と、前記縁部ゾーンおよび前記波発達ゾーン上に位置して以下内側水生領域と呼ぶ水生環境の領域とは、垂直方向に隣接していること；
−  前記支持体がプラットフォームであること；および
−  前記水生環境が、プラットフォームの下に、以下下接水生領域と呼ぶ領域を含み、深層外側水生領域と下接水生領域が垂直方向に隣接していること、
を特徴とする人工波設備を提供する。
【００２４】
こうして、波発生器が使用中であるとき水が運動しているのはプラットフォーム上であり、特許文献１に記載されている設備においてそうであるように水生環境の底面上ではない。
【００２５】
こうして、水生環境の底面に概して存在する堆積物、沖積層などを懸濁させることは回避される。
【００２６】
実施の有利な特徴によると；
−  前記プラットフォームは、浮動式プラットフォームであり、任意には、
−  前記プラットフォームは、開口部を含み、この開口部内に、下接水生領域の底面上に締結された杭が配置されており、プラットフォームと前記杭は、水生環境の水位に変化が生じた場合に、杭との関係においてプラットフォームが滑動するように構成されている。
【００２７】
代替的には、前記支持体は、支持体の上部表面の下に位置する前記流体連通を実施するために少なくとも１本のパイプを内部に備える基体である。
【００２８】
この実施形態は、水生環境が処理された水、例えばスイミングプールの水である場合に極めて適している。
【００２９】
本発明に係る設備の有利な特徴によると、前記可動部材の前記経路は環状であり、前記縁部ゾーンは支持体の周囲に位置しており、前記最高潮ゾーンは支持体の中心に向かって位置している。
【００３０】
こうして、支持体は、水生環境の内部でアイランドを形成する。
【００３１】
可動部材の経路が環状であるという特性により、波発生器の連続運転が可能になる。
【００３２】
この環状特性により同様に設備を極めてコンパクトなものにすることも可能になる。
【００３３】
他の有利な特徴によると、設備は、前記支持体に連結された防波堤（groin）をさらに含み、前記防波堤は、最高潮ゾーンから縁部ゾーンに向かって内側水生領域を横断して延在しながら、波発達ゾーンから上向きに突出している。
【００３４】
防波堤は、波発生器が使用中であるときに形成し得る最高潮ゾーンの周りを旋回する偶発的な水流を中断する。
【００３５】
第３の態様によると、本発明は、使い勝手の観点から見て優れた性能を有するコンパクトな設備を提供することに向けられている。
【００３６】
この目的で、本発明は、サーフィン練習用の人工波設備において：
−  縁部ゾーン、波発達ゾーンおよび最高潮ゾーンを含む上部表面を有する支持体であって、波発達ゾーンが縁部ゾーンから最高潮ゾーンまで上り勾配で延在している、支持体と；
−  前記縁部ゾーンおよび前記波発達ゾーン上に位置する水と；
−  既定の経路に沿って縁部ゾーン上で可動である少なくとも１つの水駆動部材を含む人工波発生器であって、前記波発生器および支持体の前記上部表面は、波発生器が休止中であるとき最高潮ゾーンを表出させ、波発生器が使用中であるとき、波発達ゾーンに向かって水の中を移動する波が側方向で可動部材に後続し、この波発達ゾーンと接触した時点で生成された波は最高潮ゾーンに向かって砕けるように構成されており、
前記可動部材の前記経路が環状であり、前記縁部ゾーンが支持体の周囲に位置しており、前記最高潮ゾーンが支持体の中心に向かって位置している人工波発生器と、
を含む人工波設備であって、
前記支持体に連結された防波堤をさらに含み、前記防波堤は、最高潮ゾーンから縁部ゾーンに向かって前記縁部ゾーンおよび前記波発達ゾーン上に位置する領域を横断して延在しながら、波発達ゾーンから上向きに突出している、ことを特徴とする人工波設備を提供する。
【００３７】
こうして、支持体は、水生環境の内部でアイランドを形成する。
【００３８】
可動部材の経路が環状であるという特性により、波発生器の連続運転が可能になる。
【００３９】
この環状特性により同様に設備を極めてコンパクトなものにすることも可能になる。
【００４０】
防波堤は、波発生器が使用中であるときに形成し得る最高潮ゾーンの周りを旋回する、存在し得る水流を中断する。
【００４１】
２つの連続する波の間の時間を大幅に短縮することが可能である。
【００４２】
こうして、本発明に係る設備は、使い勝手に優れている。
【００４３】
実施の有利な特徴によると、
−  前記防波堤は、第１の側方ゾーン、この第１の側方ゾーンと反対側に位置する第２の側方ゾーン、および第１の側方ゾーンから第２の側方ゾーンまで延在する中間ゾーンを含む上部表面を有し、前記中間ゾーンは、波発生器が休止中であるときに表出する少なくとも１つの頂部を含む；
−  前記中間ゾーンは、各々波発生器が休止中であるときに表出する第１の頂部と第２の頂部とを含み、第１の頂部および第２の頂部との関係において陥凹している陥凹ゾーンを含み、第１の頂部は第１の側方ゾーンと陥凹ゾーンとの間に位置設定され、第２の頂部は第２の側方ゾーンと陥凹ゾーンとの間に位置設定されており、第１の頂部、第２の頂部および陥凹ゾーンは、波発生器が使用中であるとき、波の行程の終りにある水が第１の頂部または第２の頂部を乗り越え、以下防波堤の収容体積と呼ぶ陥凹ゾーンにより画定される体積内に落下するように構成されており；縁部ゾーンおよび波発達ゾーン上に位置する水は、水生環境の一部を成し、この水生環境は、縁部ゾーンに沿って支持体の外側に、縁部ゾーンより高いところに位置し、以下表層外側水生領域と呼ぶ領域、および縁部ゾーンよりも低いところに位置し以下深層外側水生領域と呼ぶ領域を含み、表層外側水生領域と深層外側水生領域は水平方向に隣接しており；流体連通は、防波堤の前記収容体積を前記表層外側水生領域および／または前記深層外側水生領域に結び付けており；かつ／または、
−  支持体の上部表面は、頂部およびこの頂部との関係において陥凹している陥凹ゾーンをさらに含み、この頂部は最高潮ゾーンと陥凹ゾーンとの間に位置設定されており、最高潮ゾーンおよび陥凹ゾーンは、波発生器が使用中であるとき、波の行程の終りにある水が頂部を乗り越え、以下支持体の収容体積と呼ぶ、陥凹ゾーンにより画定される体積内に落下するように構成されており；支持体の前記収容体積および防波堤の前記収容体積は垂直方向に合流する。
【００４４】
本発明の開示は、ここで、添付図面を参照して非限定的例示として以下で提供される実施形態の詳細な説明によって続行される。
【図面の簡単な説明】
【００４５】
【図１】人工波発生器が休止中である、本発明に係る設備の上面図である。
【図２】図１のＩＩ−ＩＩにおける断面図である。
【図３】図１のＩＩＩ−ＩＩＩにおける断面図である。
【図４】図１と類似の、ただし人工波発生器が使用中である図である。
【図５】図４のＶ−Ｖにおける断面図である。
【図６】本発明に係る設備の一変形形態についての、図２と類似の図である。
【発明を実施するための形態】
【００４６】
図１〜５に例示された設備１０は、ここでは円形の外形輪郭を有する浮動式プラットフォーム１１およびプラットフォーム１１上に設置された人工波発生器１２を含む。
【００４７】
プラットフォーム１１は、縁部ゾーン１５、波発達ゾーン１６および最高潮ゾーン１７を含む上部表面１４を有する。
【００４８】
人工波発生器１２は、ここでは円形である既定の経路２１に沿って各々が可動である、４つの水駆動部材２０を含む。
【００４９】
各々の可動部材２０は、縁部ゾーン１５上を移動する。
【００５０】
設備１０は、天然の波などのような攪乱が全く無いか極めてわずかしかない静穏水域内に位置する。水域の沿岸は、設備１０から一定の距離のところにあり、こうして設備はアイランドを形成する。
【００５１】
波発生器１２が休止中である場合、すなわち可動部材２０が固定されている場合、最高潮ゾーン１７は表出している。
【００５２】
図１および４では、波発生器が休止中であるとき表出しているゾーンと水没しているゾーンの間の境界は、一点鎖線１８により表わされている。
【００５３】
波発生器１２が使用中であるとき、図４を見れば分かるように、波発達ゾーン１６に向かって移動する波２２が各々の可動部材２０に側方向で後続し、この波発達ゾーンと接触した時点で、生成された波２２は最高潮ゾーン１７に向かって砕ける。
【００５４】
例えばプラットフォーム１１は、６０〜８０ｍさらにはそれを超える直径を有し、波２２は、従来のサーフィン（サーファーはボード上に立っている）の練習用としておよそ２ｍの高さを有し；一方、適切なボード（ボディボード）上に横臥するサーフィンの練習用には、設備は例えば１８〜２２ｍまたはそれを超える直径を有し、波２２はおよそ５０〜６０ｃｍの高さを有する。
【００５５】
ここでは、水域は、保護された海辺の湾または入江で形成される。
【００５６】
一変形形態として、海辺の湾または入江は、例えば過度の流れがない場合には湖または河川といった自然環境の中、または例えば組積工の池（pond of masonry）などの人工的環境の中の別の水域によって置換される。
【００５７】
プラットフォーム１１および波発生器１２と協働する水生環境２３（ここでは海）は、縁部ゾーン１５と波発達ゾーン１６上に位置する内側水生領域と呼ばれる領域２４を含む。
【００５８】
内側水生領域２４に加えて、水生環境２３は、プラットフォーム１１の外側で縁部ゾーン１５に沿って、縁部ゾーン１５より高いところに位置し「表層外側水生領域」と呼ばれる領域２５および、縁部ゾーン１５より下に位置し深層外側水生領域と呼ばれる領域２６を含む。
【００５９】
水生環境２３は、最後に、プラットフォーム１１の下に、下接水生領域と呼ばれる領域２７を含む。
【００６０】
深層外側水生領域２６および表層外側水生領域２５は水平方向に隣接している。
【００６１】
内側水生領域２４および表層外側水生領域２５は垂直方向に隣接している。
【００６２】
同様にして、下接水生領域２７および深層外側水生領域２６は垂直方向に隣接している。
【００６３】
水生環境２３の水生領域２４〜２７への細分割がプラットフォーム１１との関係における該当領域の場所にのみ基づいている、すなわち領域２４〜２７は、分離された水の体積ではなく水が存在する場所を意味しているということを明確に理解しなければならない。
【００６４】
これに関連して、異なる水生領域２４〜２７を互いに分離する液密性の壁は全く存在しないということが指摘される。
【００６５】
反対に、水生環境２３の水（ここでは海水）は異なる水生領域２４〜２７間を流動する。
【００６６】
こうして、波発生器１２が休止中であるとき、全水生環境２３は同じ水位を有する。
【００６７】
詳細には、図１〜３を見れば明確に分かるように、内側水生領域２４の水位は、表層外側水生領域２５の水位と同一である。
【００６８】
サーファーを海洋捕食動物から保護するために、グリッドまたはネット２８を内側水生領域２４と表層外側水生領域２５との間に備えることができる（図２、３および５に概略的にすぎないが示されている）。同様にして、可動部材２０とサーファーの間の接触をことごとく回避するために経路２１の周りに、グリッドまたはネット（図示せず）を備えてもよい。
【００６９】
プラットフォーム１１の上部表面１４は、縁部ゾーン１５、波発達ゾーン１６および最高潮ゾーン１７に加えて、頂部３０およびこの頂部３０との関係においてくぼんだ陥凹ゾーン３１を含む。
【００７０】
頂部３０は、最高潮ゾーン１７と陥凹ゾーン３１の間に位置設定される。より具体的には、頂部３０は、最高潮ゾーン１７の頂点と陥凹ゾーン３１の頂点の間に位置設定されている。
【００７１】
図４および５を見れば明らかに分かるように、最高潮ゾーン１７および陥凹ゾーン３１は、波発生器１２が使用中であるとき、波２２の行程の終りにある水が頂部３０を乗り越え、陥凹ゾーン３１により画定される体積３２内に落下するように構成されており、この体積は収容体積と呼ばれる。
【００７２】
プラットフォーム１１を通って形成された開口部３３または３９は、それぞれ収容体積３２および下接水生領域２７に通じている。
【００７３】
下接水生領域２７は、深層外側水生領域２６を開口部３３または３９ひいては収容体積３２に結び付ける流体連通を提供する。
【００７４】
図２および３を見れば明らかに分かるように、この結果として、波発生器１２が休止中であるとき収容体積３２の水位は水生環境２３全体についてと同じものにとどまり、あるいは図５を見れば明らかに分かるように、波発生器１２が使用中であるときには、内側水生領域２４の外部の水生環境２３についてと同じにとどまる。
【００７５】
こうして、波発生器１２が使用中である場合、波２２の行程の終りにある水は、収容体積３２内に落下することによって内側水生領域２４を離れ、流体連通がプラットフォーム１１の下に位置することから、水は、この収容体積３２から、内側水生領域２４を通過することなく排出される。
【００７６】
収容体積３２と連通しているのは深層外側水生領域２６であるため、表層外側水生領域２５も全く攪乱を受けないかまたは極くわずかしか受けない。
【００７７】
したがって、内側水生領域２４さらには表層外側水生領域２５は引き波による攪乱を受けず、または少なくとも非常にわずかしか攪乱を受けないことから、２つの連続する波２２の間の時間を大幅に短縮することが可能である。
【００７８】
その上、水は収容体積へ誘導され、そこから水は自然にこの収容体積から深層外側水生領域２６へと連通する下接水生領域２７に合流して行くことから、波２２がプラットフォーム１１に及ぼす力学的作用は比較的わずかである。
【００７９】
ここで、上述のように浮動式プラットフォームであるプラットフォーム１１がどのように水生環境２３内で所定の位置に保持されるかについて説明する。
【００８０】
一般的に、プラットフォーム１１の浮動能力は、縁部ゾーン１５が水生環境２３の水位の下、既定の距離のところに来るような形で提供される。
【００８１】
この既定の距離は、波発生器１２の適正な作動にとって適切なものである。
【００８２】
水生環境２３の底面３５との関係においてプラットフォーム１１を保持するため、鎖などのリンク３６が、プラットフォーム１１と底面３５上に設置された係留装置３７との間に提供される。
【００８３】
底面３５に締結されプラットフォーム１１の中央開口部３９内に係合された杭３８も同様に提供される。
【００８４】
潮流に起因してプラットフォームの水位に変化が起こった場合、プラットフォーム１１は杭３８との関係において滑動し、リンク３６はプラットフォーム１１を保持して、特に杭３８の周りでそれが回転するのを回避する。
【００８５】
一変形形態として、プラットフォーム１１は、例えば３６などのリンクだけで、または３８などの杭だけで、底面３５との関係において異なる形で保持される。
【００８６】
ここでプラットフォーム１１は、船体の壁と同様に複合材料から製造される。
【００８７】
一変形形態として、複合材料は、船体の製造に使用される他の材料、例えばアルミニウムまたは木材によって置換される。
【００８８】
プラットフォーム１１の浮動能力を調整するために、多少の差こそあれ水を充填することのできるチャンバ（図示せず）を提供してもよい。
【００８９】
通常の使用においては、チャンバは、上述した通り、すなわち、縁部ゾーン１５が水生環境の水位の下、所望される既定の距離のところに来るように浮動能力を調整するために充填される。
【００９０】
例えばメンテナンス作業のためにプラットフォーム１１をより表出させることが所望される場合には、チャンバは空にされる。
【００９１】
例えば嵐の場合に底面３５上で休止させるために、プラットフォーム１１をさらに水没させることが所望される場合には、タンクに充填する。
【００９２】
一変形形態としては、プラットフォーム１１は浮動式プラットフォームではなく例えば底面３５上に締結された塔によって支持されている。
【００９３】
プラットフォーム１１および波発生器１２に加えて、設備１０はプラットフォーム１１に連結された防波堤４０を含む。
【００９４】
防波堤４０は、最高潮ゾーン１７から縁部ゾーン１５に向かって内側水生領域２４を通って延在しながら、波発達ゾーン１６から上向きに突出する。
【００９５】
防波堤４０は、第１の側方ゾーン４２、この第１の側方ゾーン４２の反対側に位置する第２の側方ゾーン４３および第１の側方ゾーン４２から第２の側方ゾーン４３まで延在する中間ゾーン４４を含む上部表面４１を有する。
【００９６】
ここで、中間ゾーン４４は、波発生器１２が休止中であるとき各々表出する第１の頂部４５と第２の頂部４６を含む。
【００９７】
中間ゾーン４４は同様に、第１の頂部４５および第２の頂部４６との関係において陥凹している陥凹ゾーン４７も含んでおり、第１の頂部４５は、第１の側方ゾーン４２と陥凹ゾーン４７との間に位置設定され、第２の頂部４６は第２の側方ゾーン４３と陥凹ゾーン４７との間に位置設定される。
【００９８】
より具体的には、第１の頂部４５は第１の側方ゾーン４２の頂点と陥凹ゾーン４７の２つの頂点のうちの一方との間に位置設定され、第２の頂部４６は、第２の側方ゾーン４３の頂点と陥凹ゾーン４７の頂点との間に位置設定されている。
【００９９】
第１の頂部４５、第２の頂部４６および陥凹ゾーン４７は、波発生器１２が使用中であるとき、波２２の行程の終りにある水が第１の頂部４５または第２の頂部４６を乗り越え、以下収容体積と呼ぶ、陥凹ゾーン４７により画定される体積４８内に落下するように構成されている。
【０１００】
ここで、防波堤４０の収容体積４８とプラットフォーム１１の収容体積３２とは、垂直方向に隣接している。
【０１０１】
ここでより具体的には、図１〜３を見れば明らかに分かるように、収容体積４８を画定する陥凹ゾーン４７はＵ字形の断面形状を有し、収容体積３２を画定する陥凹ゾーン３１は円錐台形の全体形状を有し、防波堤４０にて中断している。陥凹ゾーン３１および４７は、中断の場所において連結されている。
【０１０２】
プラットフォーム１１の頂部３０は一方の端部で防波堤４０の第１の頂部４５に連結され、もう一方の端部で防波堤４０の第２の頂部４６に連結する。
【０１０３】
収容体積３２に連結する側とは反対側で、収容体積４８は、ここでは波発達ゾーン１６と縁部ゾーン１５との間の接合部のレベルに通じている。
【０１０４】
こうして、収容体積４８は、縁部ゾーン１５上に位置する内側水生領域２４の一部分を介して表層外側水生領域２５と流体連通状態にある。
【０１０５】
開口部４９は、開口部３３と同様、陥凹ゾーン４７を形成する壁の最下位部分を貫通して形成される。開口部４９はそれぞれ、収容体積４８および下接水生領域２７に通じている。
【０１０６】
こうして、収容体積４８は、下接水生領域２７を介して深層外側水生領域２６と流体連通状態にある。
【０１０７】
こうして、収容体積４８内に落下した波の行程の終りにある水は、深層外側水生領域２６および／または表層外側水生領域２５に向かって排出される。
【０１０８】
収容体積４８は、収容体積３２と合流することから、収容体積３２内に落下した水の排出に参加することができる。
【０１０９】
プラットフォーム１１と防波堤４０との間の連結は、ここでは、プラットフォーム１１と防波堤４０がモノブロックであること、プラットフォーム１１と防波堤４０が船体壁と同じように複合材料で同時に製造されること、によって実現されている。
【０１１０】
一変形形態として、複合材料は、船体製造に用いられる他の材料、例えばアルミニウムまたは木材で置換される。
【０１１１】
一変形形態として、防波堤４０は、プラットフォーム１１上に追加される部品である。
【０１１２】
波発生器１２は、以上で記したように、ここでは円形である既定の経路２１に沿って各々可動である４つの水駆動部材２０を含む。
【０１１３】
各々の可動部材２０は、波発達ゾーン１６に向かって水を駆動しながら、図４で矢印によって示された方向に、縁部ゾーン１５上を移動する。
【０１１４】
より具体的には、波発達ゾーン１６に向かって移動する波２２が側方向で各々の可動部材２０に後続する。波発達ゾーン１６と接触した時点で、波２２は最高潮ゾーンに向かって砕ける。
【０１１５】
可動部材２０は、角度的に等間隔で経路２１上に配置されている。
【０１１６】
人工波発生器は周知であることから、発生器１２についてここでさらに説明することはしない。
【０１１７】
さらなる詳細については、特に特許文献１を参照することができる。
【０１１８】
図４に例示されている方向とは反対の方向に移動して水を発生させることもできるように、可動部材２０を整形することが可能であるということが指摘される。
【０１１９】
こうして、本発明に係る設備は、サーファーに対して、可動部材２０の移動方向に応じて波上を右にまたは波上を左に移動する可能性を提供している。
【０１２０】
ここで、プラットフォーム１１の上部表面１４は、水平方向の縁部ゾーン１５と勾配のある波発達ゾーン１６との間に、垂直または実質的に垂直である肩部ゾーン５０を含む。
【０１２１】
肩部ゾーン５０は、可動部材２０が移動させた水の伝播に対する障害を作り出し、このことは、波発達ゾーン１６上で砕ける前に生成された波のサーフィン練習にとっての質に有利に作用する。
【０１２２】
内側水生領域２４を横断して配置された防波堤４０は、最高潮ゾーン１７の周りを旋回する偶発的水流を中断できるようにする。
【０１２３】
特に、波２２は防波堤４０により止められること、および、可動部材２０が防波堤を乗り越えた後、新たな波２２が静穏水域内あるいはいずれにせよ先行する波２２による攪乱を受けなかった水中で始まることが指摘される。
【０１２４】
表層外側水生領域２５の存在は同様に、内側水生領域２４内の流れの制限にも有利に作用する。
【０１２５】
一変形形態として、防波堤は、外側水生領域が全く存在しない設備において利用される。
【０１２６】
引き波を可能なかぎり回避するために、可動部材２０はそれが側方ゾーンに接近する方向に旋回することから波２２の作用が最も大きい防波堤４０の第１の側方ゾーン４２には、櫛状部（splits）５１が備わっている。
【０１２７】
以上で説明したように、防波堤４０は同様に、波の行程の終りにある水の排出にも役立つ。
【０１２８】
可動部材２０が収容体積４８内に水を進入させるのを回避するため、例えば、可動部材２０が前を通過したときに収容体積４８の外部に向かって開口部を閉じるシャッターなどの適切な措置が講じられるか、または、可動部材２０がその場所で水の表面上を通過するように経路２１が構成される。
【０１２９】
一変形形態として、防波堤４０は、例えばその上部表面４１の中間ゾーン４４を単純な頂部により置換させることにより、いかなる収容体積４８も含まない。
【０１３０】
図示されていない別の変形形態において、設備１０は、防波堤４０のような防波堤を含まない。
【０１３１】
ここで、図６を参照しながら、設備１０の一変形形態について説明する。
【０１３２】
便宜上、類似の要素については、図１〜５中に例示された設備１０の場合と同じ参照番号がひきつづき使用されている。
【０１３３】
一般的に、図６中に例示された設備１０は、上部表面１４を提供する支持体が下接水生領域上に位置するプラットフォームではなく地面の一部を成しかつ縁部ゾーン１５よりもはるかに低い底部表面５４をもつ環状の池５６で取り囲まれた基体５５であるという点、および、水生環境２３の水が処理された水、この場合はスイミングプールの水であるという点を除いて、図１〜５で例示された設備１０と類似している。
【０１３４】
基体５５により形成された支持体の上部表面１４の下に位置する流体連通を実施するためには、基体５５内にパイプ５７が形成される。各パイプ５７は、一方の端部で開口部５８を通って基体５５の収容体積３２内に、そしてもう一方の端部で開口部５９を通って深層外側水生領域２６内に通じている。
【０１３５】
ここで、基板５５および環状の池５６は、組積構造（structure of masonry）によって形成される。
【０１３６】
表示されていない変形形態においては、
−  波発生器（例えば符号１２）の、可動部材（例えば符号２０の可動部材）の数量は、４個と異なるもの、例えば１個のみ、２、３または４個超である。
−  例えば建物が上に配置されたアイランドなど、表出したアイランドが、プラットフォーム１１または基体５５などの支持体の３２などの収容体積の中心に提供される。
−  １つまたは複数の可動部材２０の経路２１などの経路、ひいてはプラットフォーム１１または基体５５などの支持体の輪郭は、円形ではない環状、例えば卵形、楕円形および／または起伏を伴うものであるかまたは、例えばこの経路は環状ではなく、例えば直線または曲線である。
【０１３７】
状況に応じて他の多くの変形形態が可能であり、これに関連して本発明が、説明され図示された実施例に限定されるものでないということを指摘しておかなければならない。
【図１】
2018530361.tif 000003
【図２】
2018530361.tif 000004
【図３】
2018530361.tif 000005
【図４】
2018530361.tif 000006
【図５】
2018530361.tif 000007
【図６】
2018530361.tif 000008
【国際調査報告】
2018530361.tif 000009
2018530361.tif 000010
2018530361.tif 000011
2018530361.tif 000012